(57)【要約】【課題】室内の天井から懸架するタイプの室内用物干し具に於ける支持部材と吊掛棒の着脱機構に関するものであり、該着脱機構は構成が簡単で安価に製作でき、取扱が簡単且つ容易である。【解決手段】天井又は壁面に固着される支持部材４と吊掛棒５から成り、該支持部材４は嵌合部１２に刻設された嵌合溝１３及び固定溝１８を設けて、該支持部材４の嵌合溝１３に挿入され前記固定溝１８内で任意に装架されるように構成された先端部５aに円盤形状のフック１４を有する吊掛棒５から成ることを特徴とする室内用物干し具等に於ける支持部材と吊掛棒の着脱機構を提供する。【選択図】  図５
2005253975.tif 000002
【特許請求の範囲】
【請求項１】
天井又は壁面に固着される支持部材４と吊掛棒５から成り、該支持部材４は嵌合部１２に刻設された嵌合溝１３及び固定溝１８を設けて、該支持部材４の嵌合溝１３に挿入され前記固定溝１８内で任意に装架されるように構成された先端部５aに円盤形状のフック１４を有する吊掛棒５から成ること、
を特徴とする室内用物干し具等に於ける支持部材と吊掛棒の着脱機構。
【請求項２】
前記支持部材４に設けられた嵌合溝１３内部に板バネ１５、１５’並びに固定溝１８が設けられていることで、前記吊掛棒５の懸装、使用時の脱落を防止したこと、
を特徴とする請求項１記載の室内用物干し具等に於ける支持部材と吊掛棒の着脱機構。
【発明の詳細な説明】
【技術分野】
【０００１】
本発明は室内の天井等から懸架するタイプの室内用物干し具等に於ける支持部材と吊掛棒の着脱機構に関するものであり、該着脱機構は天井等に固着された支持部材に吊掛棒又は紐を簡単且つ容易に取り付け、また取り外しできるもので、前記支持部材に嵌合される吊掛棒等を介して物干し竿やドライハンガーが懸装されて使用されるため、必要時には簡単且つ容易に取り付け可能で、使用後は支持部材より懸架される吊掛棒並びに物干し竿等を、できるだけ目立たなく片づけることができる室内用物干し具等に於ける支持部材と吊掛棒の新規な着脱機構を提供するものである。
【背景技術】
【０００２】
室内の天井に支持具を固着し、該支持具に吊掛具を着脱自在に係合、懸架することにより物干し具や観葉植物や絵画等を吊り下げて使用する吊掛装置が特開平６−１２１７２５号に提案されている。
【０００３】
特開平６−１２１７２５号においては、支持具と吊掛具から成る吊掛装置であって、支持具は、挿入孔を設けた基体の中に可動の抜止具と、係合部を設けた伝達具とを有し、該抜止具は、伝達具によって動かされて挿入孔の一部を閉塞する閉塞部を有して成り、吊掛具は、引掛部を設けると共に、一端部に、挿入孔から挿入可能な挿入部を設け、該挿入部には、伝達具の六角形の係合部に係合させて回動することによって伝達具を動かすことができる六角形の孔の駆動部を設けて成り、吊掛具の駆動部が伝達具を介して抜止具を動かして挿入孔の一部を閉塞することによって挿入部を抜け止めし、吊掛具を支持具に支持できるようにして成るか、あるいは、支持具と吊掛具から成る吊掛装置にあって、支持具は、挿入孔を設けた基体の中に可動の抜止具を有し、該抜止具は六角形の孔の係合部を有すると共に動くことによって挿入孔の一部を閉塞する閉塞部を有して成り、吊掛具は、引掛部を設けると共に、一端部に、挿入孔から挿入可能な挿入部を設け、該挿入部の先端部には球形を一部切り欠いて六角形の突起部を突設してある。そして、抜止具の六角形の孔の係合部に六角形の突起の駆動部を係合させて回動することによって抜止具を動かすことができる駆動部を設けて成り、吊掛具の駆動部が抜止具を動かして挿入孔の一部を閉塞することによって挿入部を抜け止めし、吊掛具を支持具に支持できるようにして成るものである。
【０００４】
斯くして、上述の従来装置にあっては、天井に固着される支持具と吊掛具との着脱機構が複雑で、部品数が多いため、製作コストが掛かり高価な装置に成ってしまう。また、室内に設置される物干し具は、にわか雨や入梅時等に臨時の洗濯物干場を提供する意味合いが大きく、子供からお年寄りまで、必要時には簡単且つ容易に設置可能で、使用後は、できるだけ目立たなく片づけることができる室内用物干し具が要望されており、ボルト・ナットの締結に用いられるレンチの如く先端部が、六角形を有する凸部または凹部に吊掛具の他端を持って嵌合操作をする従来装置では、この現況を解決するにふさわし商品ではなかつた。
【発明の開示】
【発明が解決しようとする課題】
【０００５】
本発明は上述の点に鑑みてなされたもので、より簡単な機構で壊れにくく、安価であり、且つ必要時には簡単且つ容易に設置可能で、使用後は、容易にまた、できるだけ目立たなく片づけることのできる室内用物干し具等に於ける支持部材と吊掛棒の新規な着脱機構を提供することを目的としている。
【課題を解決するための手段】
【０００６】
上記の目的を達成するために、本発明の室内用物干し具においては、天井にビス等にて固着された支持部材に、簡単且つ容易に着脱できる嵌合部を設け、該嵌合部に吊掛棒の先端部を嵌合、懸架して、該吊掛棒の下端部に物干し竿等の物干し具を装架する。
【０００７】
本発明のおいては、天井又は壁面に固着される支持部材と吊掛棒から成り、該支持部材は嵌合部に刻設された嵌合溝、及び固定溝を設けて、該支持部材の嵌合溝に挿入され前記固定溝内で任意に装架されるように構成された先端部に円盤形状のフックを有する吊掛棒から成る室内用物干し具等に於ける支持部材と吊掛棒の着脱機構が要旨である。
【０００８】
また、本発明は、前記支持部材に設けられた嵌合溝内部に板バネ、並びに固定溝が設けられていることで、前記吊掛棒の懸装、使用時の脱落を防止したことが、もっとも重要な要旨である。
【０００９】
而して、本発明は、例えば、天井に一対の支持部材を各々ビス等にて固着する。該支持部材には本発明にて提案する着脱機構の嵌合部が設けられており、該それぞれの嵌合部に吊掛棒等を懸装して、該吊掛棒間に物干し竿又は物干し紐を装架する。
尚、前記吊掛棒は伸縮自在な構成として長さ調整ができ、長さを調整することで物干し竿の高さを可変とする他、天井に取り付けられた高い位置にある支持部材の嵌合部に、子供や車椅子利用者のように低い位置からであっても、吊掛棒の長さを調整することにより、該吊掛棒の先端部を支持部材の嵌合部に容易に嵌合することができる。
【００１０】
また、本発明の着脱機構を使用した室内用物干し具においては、天井支持部材をビス、あるいは接着等任意手段にて固着し、前記支持部材には吊掛棒の先端部を嵌合することのできる嵌合部が設けられているので、必要ならば該支持部材の嵌合部に吊掛棒を懸架して、該吊掛棒下端部に、物干し竿に代えて、洗濯バサミが複数個予め並設されているドライハンガーを一個又は複数個懸装できる。
尚、前記吊掛棒は前述の使用例と同様、長さを可変とし子供等低い位置からの操作も簡単に行えるようにもできる。
【発明の効果】
【００１１】
而して、本発明は、上述したように室内の天井等から懸装するタイプの物干し具等に於ける支持部材と吊掛棒の着脱機構に関するものであり、本発明の着脱機構は天井に固定された支持部材に吊掛棒を容易に取り付け、且つまた容易に取り外しのできるもので、前記支持部材に嵌合される吊掛棒を介して、物干し竿や物干し紐、または、ドライハンガーが懸装されて使用されるため、必要時には素速く容易に取り付けが可能で、また使用後は支持部材より懸架される吊掛棒を素速く又簡単に取り外しできるることから、該吊掛棒を介して装架される物干し竿等を素速く片づけることが出来るという顕著な効果を有する。
【００１２】
また、本発明の支持部材と吊掛棒着脱機構は従来装置に比較して構造が非常に簡単であり、且つ部品数が少ないため製作コストを安価とすることができ、また取扱方法も極めて簡単なものに改善された。
また、本発明は、必要に応じて、屋外（例えばベランダ天井や外壁面）に実施することも可能である。
【発明を実施するための最良の形態】
【００１３】
本発明は、天井又は壁面に固着される支持部材と吊掛棒から成り、該支持部材は嵌合部に刻設された嵌合溝、及び固定溝を設けて、該支持部材の嵌合溝に挿入され前記固定溝内で任意に装架されるように構成された先端部に円盤形状のフックを有する吊掛棒から成る支持部材と吊掛棒の着脱機構とすることが好ましい。
【００１４】
また、本発明は、前記支持部材に設けられた嵌合溝内部に板バネ、並びに固定溝が設けられていることで、前記吊掛棒の懸装、使用時の脱落を防止した構成とすることが好ましい。
【実施例１】
【００１５】
本発明の実施例を図１及び図２に基づき説明する。
図１は本発明の使用の一形態を示す説明図であり、１は天井スラブ、２はスラブ下に懸装された木軸等からなる天井下地材、３は天井下地材に装着された天井、４、４’は嵌合部を有する支持部材、５、５’は支持部材に着脱自在に懸装された伸縮自在の吊掛棒、該吊掛棒５、５’の下端部にはリング６、６’を介して物干し竿７が保持されている。尚、８は床を示している。
【００１６】
前記支持部材４、４’は天井３を介して天井下地２内に構成される補強用裏打ち材９、９’にそれぞれビスあるいは接着等（図示せず）により固着されている。
【００１７】
斯くして、本使用例においては、天井３に固着された一対の支持部材４、４’にはそれぞれ吊掛棒５、５’が着脱自在に懸装されているので、前記吊掛棒５、５’と物干し竿６は不要時には、支持部材４、４’から取り外し片づけることができ、この場合天井３には支持部材４、４’が残るのみで、室内空間は本来の使用目的に沿った快適感が維持できる。
【００１８】
図２は図１と同様本発明の使用の他の例を示す説明図であり、同一符号は同一構成要素を示す。図２において、吊掛棒５の嵌合部を有した支持部４は天井３を介して天井下地２内に構成される補強用裏打ち材９にビス、接着等（図示せず）により固着されており、該支持部材４には伸縮自在の吊掛棒５が着脱自在に懸装されており、該吊掛棒５を介して洗濯バサミ１０，１０，１０・・・が複数個並設されている所謂ドライハンガー１１を懸装している。
【００１９】
図２の使用例は以上説明の通り、使用する物干しの形態が、図１の物干し竿７のように必ず一対の支持部材４、４’を必要とするのに対して、ドライハンガー１１を使用するものであるから支持部材４は一個でもまた複数個でもよい。
【００２０】
図１及び図２にて説明した吊掛棒５の嵌合部を有する支持部材４、４’の取り付け位置、即ち天井下地材２内に構成される補強用裏打ち材９、９’は、予め計画された位置に十分に耐重量を考慮して設けられ、施工者が支持部材４、４’まで取り付けてしまうことや、前記補強用裏打ち材９、９’を大きな部材として予め製作しておき、該補強用裏打ち材９、９’の範囲を施工者が明示しておき、後日、居住者が表示範囲内にて、必要に応じ、任意に室内用物干し具を一対でも、また、それ以上でも（物干し竿の場合）、又、一個でも複数個でも（ドライハンガーの場合）設置できるのみならず、居住者が耐重量を考慮して室内の任意の場所にビスや接着等にて簡単に取り付けられることは、言うまでもない。
【００２１】
而して、本発明は、図１及び図２にて説明した使用例にて実施され非常に有効な室内用物干し具の支持部材と吊掛棒の着脱機構に関するもので、以下、図３乃至図５にて本発明の支持部材と吊掛具の嵌合機構を説明する。
【００２２】
図３乃至図５は本発明の実施例を示すものであって、図３は天井に固着された支持部材４と、該支持部材４に嵌合する吊掛棒５の形状を示す斜視拡大図、図４は支持部材４の要部断面拡大図、図５（A）、（B）は着脱機構の動作説明図を示している。
【００２３】
図３において、支持部材４はビス（図示せず）等にて天井に固着されており、該支持部材４には嵌合部１２が設けられており、該嵌合部１２には、嵌合溝１３が幅広に刻設されている。一方、吊掛棒５上端部５aには円盤形状のフック１４が設けられており、該円盤形状のフック１４は前記嵌合溝１３に嵌合して、支持部材４に懸装可能である。
【００２４】
而して、図４の支持部材４の要部断面図において、１３は嵌合溝、１４は円盤状のフック、１５、１５’は板バネ、１６、１６’は天井にビス等で固着されたベースプレート１７に前記支持部材４を回転させ固定させるための螺合部である。（尚、この板バネ１５、１５’の素材は、必ずしも金属に限らず、弾性のある合成樹脂等、弾性のある素材であれば特に限定される必要はない。）
【００２５】
図４は前記嵌合溝１３に嵌合され、板バネ１５、１５’を押しやり規定位置に固定された吊掛棒５の状態を示し、この状態で支持部材４と吊掛棒５の嵌合は完了しており、該吊掛棒５の下端部には前記リング６、６’を介して物干し竿７やドライハンガー１１が懸装できる。
【００２６】
図５（A）、（B）は支持部材４に吊架棒５を着脱する操作を説明する側断面図であり、（Ａ）は支持部材４の嵌合溝１３に吊掛棒５の先端部５aに設けられた円盤形状のフック１４を挿入して、板バネ１５，１５’を押しやり規定位置にの固定溝１８に係合して、支持部材４と吊掛棒５が嵌合している状態を示している。
【００２７】
また、支持部材４と吊掛棒５の嵌合を取り外すには、図５（Ａ）の状態にて、吊掛棒５を上部に押し上げ、図５（Ｂ）の如く吊掛棒５の先端部５aの円盤形状のフック１４を嵌合溝１３に沿って嵌合時と逆方向に摺動することで、簡単に行える。
【００２８】
本発明は、天井又は壁面に固着される支持部材４と吊掛棒５から成り、該支持部材４は嵌合部１２に刻設された嵌合溝１３及び固定溝１８を設けて、該支持部材４の嵌合溝１３に挿入され前記固定溝１８内で任意に装架されるように構成された先端部５aに円盤形状のフック１４を有する吊掛棒５から成ることを特徴とする室内用物干し具等に於ける支持部材と吊掛棒の着脱機構を提供するものである。
【００２９】
また、本発明は、前記支持部材４に設けられた嵌合溝１３内部に板バネ１５、１５’並びに固定溝１８が設けられていることで、前記吊掛棒５の懸装、使用時の脱落を防止したことを特徴とする室内用物干し具等に於ける支持部材と吊掛棒の着脱機構を提供するものである。
【００３０】
斯くして、本発明の室内用物干し具等に於ける支持部材と吊掛棒の着脱機構にあっては、天井に固定された支持部４の嵌合溝１３に沿って円盤形状のフック１４を有した吊掛棒５を摺動させて、前記支持部材４の中央部に位置する固定溝１８に係合させるのみで、前記支持部材４に吊掛棒５を簡単且つ確実に懸装できる。また、懸装した吊掛棒５を取り外すには、吊掛棒５を上部に押し上げ嵌合溝１３に沿って移動させることで、簡単且つ容易に行えることとなる。
【産業上の利用可能性】
【００３１】
本発明は上述したように室内の天井等から懸装するタイプの物干し具等に於ける支持部材と吊掛棒の着脱機構に関するものであり、本発明の着脱機構は天井に固定された支持部材に吊掛棒を容易に取り付け、且つまた容易に取り外しのできるもので、前記支持部材に嵌合される吊掛棒を介して、物干し竿や物干し紐、または、ドライハンガーが懸装されて使用されるため、必要時には素速く容易に取り付けが可能で、また使用後は支持部材より懸架される吊掛棒を素速く又簡単に取り外しできるることから、該吊掛棒を介して装架される物干し竿等を素速く片づけることが出来るという顕著な効果を有し、その産業上の利用の可能性は頗る多大である。
【００３２】
また、本発明の支持部材と吊掛棒着脱機構は従来装置に比較して構造が非常に簡単であり、且つ部品数が少ないため製作コストを安価で、また取扱方法も極めて簡単で産業上の利用価値は大きい。
【図面の簡単な説明】
【００３３】
【図１】本発明の室内用物干し具使用例説明図である。
【図２】本発明の他の室内用物干し具使用例図である。
【図３】本発明の実施例を説明する斜視拡大図である。
【図４】本発明の実施例を説明する要部断面図である。
【図５】本発明の実施例を説明する動作説明図である。
【符号の説明】
【００３４】
１  天井スラブ
２  天井下地材
３  天井
４、４’  支持部材
５a  吊掛棒の先端部
５、５’  吊掛棒
６、６’  リング
７  物干し竿
８  床
９  補強用裏打ち材
１０  洗濯バサミ
１１  ドライハンガー
１２  嵌合部  
１３  嵌合溝
１４  円盤形状のフック
１５、１５’  板バネ
１６、１６’  螺合部
１７  ベースプレート
１８  固定溝
【図１】
2005253975.tif 000003
【図２】
2005253975.tif 000004
【図３】
2005253975.tif 000005
【図４】
2005253975.tif 000006
【図５】
2005253975.tif 000007